(57)【要約】【課題】好適な音声の録音が可能な撮影装置を提供する。【解決手段】本発明の撮影装置１は、撮影に用いられる撮影部１３と、被写体側の音声を検出し第１音声信号を出力する第１マイク３１１Ｆと、前記被写体側とは異なる側の音声を検出し第２音声信号を出力する第２マイク３１１Ｒと、前記第１音声信号、及び、前記第２音声信号を記録する記録部１４と、前記撮影部１３の撮影状態に応じて、前記記録部１４に記録される前記第１音声信号のレベル、及び、前記記録部１４に記録される前記第２音声信号のレベルの少なくとも一方が変化するように前記記録部１４を制御する制御部１００とを含むことを特徴とする。【選択図】図２
2011061445.tif 000002
【特許請求の範囲】
【請求項１】
撮影に用いられる撮影部と、
被写体側の音声を検出し第１音声信号を出力する第１マイクと、
前記被写体側とは異なる側の音声を検出し第２音声信号を出力する第２マイクと、
前記第１音声信号、及び、前記第２音声信号を記録する記録部と、
前記撮影部の撮影状態に応じて、前記記録部に記録される前記第１音声信号のレベル、及び、前記記録部に記録される前記第２音声信号のレベルの少なくとも一方が変化するように前記記録部を制御する制御部とを含むことを特徴とする撮影装置。
【請求項２】
請求項１に記載された撮影装置であって、
前記第２マイクは、前記被写体側の反対側の音声を検出することを特徴とする撮影装置。
【請求項３】
請求項１又は請求項２に記載された撮影装置であって、
前記撮影部は、セルフタイマ撮影が可能であり、
前記制御部は、前記撮影部が前記セルフタイマ撮影をするとき、前記記録部に記録される前記第２音声信号のレベルを下げることを特徴とする撮影装置。
【請求項４】
請求項１から請求項３までの何れか１項に記載された撮影装置であって、
前記撮影部は、撮像を行う撮像部と、機械的に駆動して駆動音を発生する駆動部とを有し、
前記制御部は、前記駆動部が前記第１マイクよりも前記第２マイクに近いとき前記記録部に記録される前記第２音声信号のレベルを下げ、前記駆動部が前記第２マイクよりも前記第１マイクに近いとき前記記録部に記録される前記第１音声信号のレベルを下げることを特徴とする撮影装置。
【請求項５】
請求項４に記載された撮影装置であって、
前記駆動部は、撮影レンズに設けられ前記第２マイクよりも前記第１マイクに近いレンズ側駆動部と、前記撮影レンズに取付けられたボディに設けられ前記第１マイクよりも前記第２マイクに近いボディ側駆動部とを有し、
前記制御部は、前記ボディ側駆動部が駆動するとき前記記録部に記録される前記第２音声信号のレベルを下げ、前記レンズ側駆動部が駆動するとき前記記録部に記録される前記第１音声信号のレベルを下げることを特徴とする撮影装置。
【請求項６】
請求項１から請求項５までの何れか１項に記載された撮影装置であって、
前記記録部に記録される前記第１音声信号のレベル、及び、前記記録部に記録される前記第２音声信号のレベルのそれぞれを設定するために操作可能な操作部を有し、
前記制御部は、前記操作部による設定よりも優先させて、前記撮影部の撮影状態に応じて、前記記録部に記録される前記第１音声信号のレベル、及び、前記記録部に記録される前記第２音声信号のレベルの少なくとも一方が変化するように前記記録部を制御することを特徴とする撮影装置。
【請求項７】
請求項１から請求項６までの何れか１項に記載された撮影装置であって、
前記撮像部は、装置の振れを検出する振れ検出部を有し、
前記制御部は、振れ検出部の振れの検出結果に応じて、前記記録部に記録される前記第１音声信号のレベル、及び、前記記録部に記録される前記第２音声信号のレベルの少なくとも一方が変化するように前記記録部を制御することを特徴とする撮影装置。
【請求項８】
請求項１から請求項７までの何れか１項に記載された撮影装置であって、
前記記録部に記録された前記第１音声信号を出力する第１スピーカと、前記記録部に記録された前記第２音声信号を出力する第２スピーカとを有することを特徴とする撮影装置。
【発明の詳細な説明】
【技術分野】
【０００１】
本発明は、音声の録音が可能な撮影装置に関するものである。
【背景技術】
【０００２】
従来、静止画だけでなく動画撮影も可能であり、動画撮影と同時に音声の録音も行うカメラがある。そして、このようなカメラにおいて、録音マイクが２つ設けられているものがある（例えば、特許文献１参照）。このカメラは、動作撮影時に、２つのマイクの音声レベルの高低を比較し、音声レベルの高いほうのマイクから音声を取り込むようになっている。
【先行技術文献】
【特許文献】
【０００３】
【特許文献１】特開２００４−２０１０１５号公報
【発明の概要】
【発明が解決しようとする課題】
【０００４】
しかし、撮影者は、必ずしも音声レベルの高い音の録音を希望しているわけではない。
【０００５】
本発明の課題は、好適な音声の録音が可能な撮影装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、撮影に用いられる撮影部（１３，１００，１１０，１２０，１７０，２１０，２２０，２３０，２４０，２５）と、被写体側の音声を検出し第１音声信号を出力する第１マイク（３１１Ｆ）と、前記被写体側とは異なる側の音声を検出し第２音声信号を出力する第２マイク（３１１Ｒ）と、前記第１音声信号、及び、前記第２音声信号を記録する記録部（１４）と、前記撮影部（１３，１００，１１０，１２０，１７０，２１０，２２０，２３０，２４０，２５）の撮影状態に応じて、前記記録部（１４）に記録される前記第１音声信号のレベル、及び、前記記録部（１４）に記録される前記第２音声信号のレベルの少なくとも一方が変化するように前記記録部（１４）を制御する制御部（１００）とを含むことを特徴とする撮影装置（１）である。
請求項２に記載の発明は、請求項１に記載された撮影装置（１）であって、前記第２マイク（３１１Ｒ）は、前記被写体側の反対側の音声を検出することを特徴とする撮影装置（１）である。
請求項３に記載の発明は、請求項１又は請求項２に記載された撮影装置（１）であって、前記撮影部（１３，１００，１１０，１２０，１７０，２１０，２２０，２３０，２４０，２５）は、セルフタイマ撮影が可能であり、前記制御部（１００）は、前記撮影部（１３，１００，１１０，１２０，１７０，２１０，２２０，２３０，２４０，２５）が前記セルフタイマ撮影をするとき、前記記録部（１４）に記録される前記第２音声信号のレベルを下げることを特徴とする撮影装置（１）である。
請求項４に記載の発明は、請求項１から請求項３までの何れか１項に記載された撮影装置（１）であって、前記撮影部（１３，１００，１１０，１２０，１７０，２１０，２２０，２３０，２４０，２５）は、撮像を行う撮像部（１３）と、機械的に駆動して駆動音を発生する駆動部（１１０，１２０，１７０，２１０，２２０，２３０，２４０）とを有し、前記制御部（１００）は、前記駆動部（１１０，１２０，１７０，２１０，２２０，２３０，２４０）が前記第１マイク（３１１Ｆ）よりも前記第２マイク（３１１Ｒ）に近いとき前記記録部（１４）に記録される前記第２音声信号のレベルを下げ、前記駆動部（１１０，１２０，１７０，２１０，２２０，２３０，２４０）が前記第２マイク（３１１Ｒ）よりも前記第１マイク（３１１Ｆ）に近いとき前記記録部（１４）に記録される前記第１音声信号のレベルを下げることを特徴とする撮影装置（１）である。
請求項５に記載の発明は、請求項４に記載された撮影装置（１）であって、前記駆動部（１１０，１２０，１７０，２１０，２２０，２３０，２４０）は、撮影レンズに設けられ前記第２マイク（３１１Ｒ）よりも前記第１マイク（３１１Ｆ）に近いレンズ側駆動部（２１０，２２０，２３０，２４０）と、前記撮影レンズに取付けられたボディに設けられ前記第１マイク（３１１Ｆ）よりも前記第２マイク（３１１Ｒ）に近いボディ側駆動部（１１０，１２０，１７０）とを有し、前記制御部（１００）は、前記ボディ側駆動部（１１０，１２０，１７０）が駆動するとき前記記録部（１４）に記録される前記第２音声信号のレベルを下げ、前記レンズ側駆動部（２１０，２２０，２３０，２４０）が駆動するとき前記記録部（１４）に記録される前記第１音声信号のレベルを下げることを特徴とする撮影装置（１）である。
請求項６に記載の発明は、請求項１から請求項５までの何れか１項に記載された撮影装置（１）であって、前記記録部（１４）に記録される前記第１音声信号のレベル、及び、前記記録部（１４）に記録される前記第２音声信号のレベルのそれぞれを設定するために操作可能な操作部（１５）を有し、前記制御部（１００）は、前記操作部（１５）による設定よりも優先させて、前記撮影部（１３，１００，１１０，１２０，１７０，２１０，２２０，２３０，２４０，２５）の撮影状態に応じて、前記記録部（１４）に記録される前記第１音声信号のレベル、及び、前記記録部（１４）に記録される前記第２音声信号のレベルの少なくとも一方が変化するように前記記録部（１４）を制御することを特徴とする撮影装置（１）である。
請求項７に記載の発明は、請求項１から請求項６までの何れか１項に記載された撮影装置（１）であって、前記撮影部（１３，１００，１１０，１２０，１７０，２１０，２２０，２３０，２４０，２５）は、装置の振れを検出する振れ検出装置（２５）を有し、前記制御部（１００）は、振れ検出装置（２５）の振れの検出結果に応じて、前記記録部（１４）に記録される前記第１音声信号のレベル、及び、前記記録部（１４）に記録される前記第２音声信号のレベルの少なくとも一方が変化するように前記記録部（１４）を制御することを特徴とする撮影装置（１）である。
請求項８に記載の発明は、請求項１から請求項７までの何れか１項に記載された撮影装置（１）であって、前記記録部（１４）に記録された前記第１音声信号を出力する第１スピーカ（３２）と、前記記録部（１４）に記録された前記第２音声信号を出力する第２スピーカ（３３）とを有することを特徴とする撮影装置（１）である。
なお、符号を付して説明した構成は、適宜改良してもよく、また、少なくとも一部を他の構成物に代替してもよい。
【発明の効果】
【０００８】
本発明によれば、好適な音声の録音が可能な撮影装置を提供することができる。
【図面の簡単な説明】
【０００９】
【図１】本発明に係る撮影装置の一実施形態であるカメラの概念構成ブロック図である。
【図２】カメラの外観平面図である。
【図３】カメラの外観背面図である。
【発明を実施するための形態】
【００１０】
以下、図面を参照して、本発明の一実施形態について説明する。
図１は、本発明に係る撮影装置の一実施形態であるカメラ１の概念構成ブロック図である。図２は、カメラ１の外観平面図である。図３は、カメラ１の外観背面図である。
なお、以下の各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸ軸プラス方向とする。また、正位置において上側に向かう方向をＹ軸プラス方向とする。さらに、正位置において被写体に向かう方向をＺ軸プラス方向とする。また、以下の説明では、撮影光学系の光軸ＯＡと平行な方向を「前後」とし、被写体側を「前面側」、他端側である撮像素子の側を「背面側」とそれぞれ称する。
【００１１】
カメラ１は、クイックリターンミラー１１を備えるいわゆる一眼レフデジタルカメラあって、カメラ本体１０と、カメラ本体１０に着脱可能な撮影レンズ２０と、により構成されている。なお、本発明は、このような一眼レフのカメラに限定されるものではなく、カメラボディに撮影レンズを一体に備えるものに適用してもよい。
また、カメラ１は、静止画と動画とを記録可能であって、さらに、画像の記録と同時にまたは音声のみでも記録可能なものである。
【００１２】
カメラ本体１０は、クイックリターンミラー１１と、シャッター１２と、撮像部１３と、記録部１４と、操作部１５と、表示部１６と、発光装置１７と、音声部３０と、を備えている。また、カメラ本体１０は、制御部１００と、画像処理回路１０１と、ＡＦセンサ１０２等を備えている。
【００１３】
クイックリターンミラー１１は、撮影レンズ２０を通過した被写体光を図示しないファインダーに向けて反射する鏡である。クイックリターンミラー１１は、その一部がハーフミラーとなっており、被写体光の一部を透過させて後述するＡＦセンサ１０２に導くようになっている。クイックリターンミラー１１は、撮影時に後述するレリーズスイッチが押圧操作されると、図示しない軸の回りに揺動して被写体光の光路外に位置に退避し、撮影終了後には初期位置に戻る。このクイックリターンミラー１１の揺動操作は、制御部１００によって制御駆動されるステッピングモータ等の駆動源を備えるミラー駆動機構１１０によって行われる。
【００１４】
シャッター１２は、後述する撮像部１３の前面側に配設されており、被写体光の光路を開閉して撮像部１３の露光時間を制御する。シャッター１２は、制御部１００によって制御される電磁アクチュエータを備えるシャッター駆動機構１２０によって開閉駆動される。
撮像部１３は、たとえば、ＣＣＤやＣＭＯＳ等の光電変換素子であって、撮像面への入射光を電気信号に変換して出力する、撮像部１３は、その撮像面が光軸ＯＡと直交する姿勢で、カメラ本体１０の筐体に固定されている。撮像部１３は、制御部１００によって制御される撮像素子駆動回路１３０からの入力に基づいて、後述する画像処理回路１０１に画像データを出力する。
【００１５】
記録部１４は、ＳＤカードやＣＦカード等の記録媒体１４Ａを着脱可能に備えており、制御部１００によって制御されて、画像処理された静止画、動画、および音声情報を記録媒体１４Ａに記録する。
操作部１５は、メインスイッチ１５Ａ、シャッターレリーズボタン１５Ｂ、マイク設定ボタン１５Ｃ、操作ダイヤル１５Ｄ、セルフタイマ設定ボタン１５Ｓ等の各種操作ボタン類等を備え、使用者によって操作されてその操作情報を制御部１００に出力する。なお、操作部１５における各種操作ボタン類等には、設定によって複数の機能が割り付けられるようになっている。
【００１６】
表示部１６は、図３に示すように、カメラ本体１０の背面に設けられた液晶パネル１６Ａ（図１には示さず）を備えている。表示部１６は、制御部１００によって制御され、液晶パネル１６Ａに、当該カメラ１における各種機能の設定をする機能設定メニューや、使用者が操作部１５を介して入力したシャッター速度，絞りおよび露光補正情報等の撮影に係る設定情報等を表示する。また、表示部１６は、液晶パネル１６Ａに撮影画像やそのヒストグラムおよび撮影情報等を表示する。
【００１７】
発光装置１７は、閃光を発するキセノン管等を備え、カメラ本体１０に揺動可能に設けられている。発光装置１７は、制御部１００によって駆動制御される電磁アクチュエータを備える発光装置駆動機構１７０によって揺動駆動され、撮影時には、撮影レンズ２０から離間した位置に揺動（いわゆるポップアップ）して発光する。
【００１８】
音声部３０は、集音部３１と、スピーカ３２，３３とから構成されている。
集音部３１は、第１集音部３１Ｆと第２集音部３１Ｒとを備えている。第１集音部３１Ｆと第２集音部３１Ｒとは同様な構成であって、それぞれマイク３１１（３１１Ｆ，３１１Ｒ）を備えている。
【００１９】
第１集音部３１Ｆのマイク３１１Ｆは、図２に示すようにカメラ本体１０の前面側上部に配設され、第２集音部３１Ｒのマイク３１１Ｒは、図２および図３に示すようにカメラ本体１０の背面側上部に配設されている。
音声部３０は、集音部３１におけるマイク３１１Ｆ，３１１Ｒによって集音した音声情報を、制御部１００に出力する。
なお、この音声部３０の構成および作用ついては、後に詳述する。
【００２０】
制御部１００は、操作者（撮影者）による操作部１５の操作と、図示しない記憶装置に予め格納されたプロクラムとに基づいて、撮影レンズ２０を含む当該カメラ１の全体を統括制御する。当該カメラ１は、完全自動のオートモードや各種設定を手動で行うマニュアルモード等、複数の撮影モードを有しており、制御部１００はモードに応じて異なる制御を行う。
【００２１】
ＡＦセンサ１０２は、ＣＣＤラインセンサ等によって構成され、前述したように、クイックリターンミラー１１のハーフミラー部分を透過した被写体光の一部が入射する。ＡＦセンサ１０２は、その検出信号を焦点検出情報として制御部１００に出力する。
【００２２】
撮影レンズ２０は、ズームレンズ群２１と、フォーカスレンズ群２２と、ブレ補正レンズ群２３と、絞り２４と、ジャイロセンサ２５とを備えている。また、撮影レンズ２０は、ズーム駆動機構２１０と、フォーカス駆動機構２２０と、ブレ補正駆動機構２３０と、絞り駆動機構２４０とを備えている。
【００２３】
ズームレンズ群２１、フォーカスレンズ群２２およびブレ補正レンズ群２３は、結像光学系を構成している。
ズームレンズ群２１は、光軸ＯＡ方向に移動して当該撮影レンズ２０の焦点距離を変化させるレンズ群である。ズームレンズ群２１は、ズーム駆動機構２１０によって移動駆動される。ズーム駆動機構２１０は、ズームレンズ群２１を移動駆動する駆動源（超音波モータ、ステッピングモータまたはＡＣモータ等）を備え、カメラ本体１０の制御部１００によって制御される。
【００２４】
フォーカスレンズ群２２は、光軸ＯＡ方向に移動して当該撮影レンズ２０による結像位置を変化させるレンズ群である。フォーカスレンズ群２２は、フォーカス駆動機構２２０によって移動駆動される。フォーカス駆動機構２２０は、フォーカスレンズ群２２を移動駆動する駆動源（超音波モータ、ステッピングモータまたはＡＣモータ等）を備え、カメラ本体１０の制御部１００によって制御される。
【００２５】
ブレ補正レンズ群２３は、光軸ＯＡと直交する面内で移動して当該撮影レンズ２０による結像位置を変化させるレンズ群である。ブレ補正レンズ群２３は、ブレ補正駆動機構２３０によって移動駆動される。ブレ補正駆動機構２３０は、ブレ補正レンズ群２３を移動駆動する駆動源（超音波モータ、ステッピングモータまたはＡＣモータ等）を備え、カメラ本体１０の制御部１００によって制御される。
【００２６】
絞り２４は、撮影レンズ２０から撮像部１３に達する露光光量を制御する機構である。絞り２４は、絞り駆動機構２４０によって駆動される。絞り駆動機構２４０は、絞り２４を駆動する電磁アクチュエータを備え、カメラ本体１０の制御部１００によって制御される。
ジャイロセンサ２５は、撮影レンズ２０に生じるブレの角速度を検出し、ブレ補正制御情報としてカメラ本体１０の制御部１００に出力する。
【００２７】
そして、カメラ１は、撮影者による操作部１５の操作に基づく制御部１００の制御によって、下記のごとく作用して撮影を行う。
すなわち、撮影レンズ２０が被写体像光をセンサユニット４における撮像部１３の受光面に結像させ、撮影者による操作部１５のシャッターレリーズボタン１５Ｂの押圧操作によって、撮像部１３が電気信号に変換し、画像処理回路１０１が画像処理した被写体の画像情報を記録部１４の記録媒体１４Ａに記録（撮影）する。前述したように、カメラ１は、静止画と動画とを記録可能であって、さらに、画像の記録と同時にまたは単独で音声も記録可能となっている。
【００２８】
制御部１００は、操作部１５を介した操作に基づいて、ズーム駆動機構２１０を制御駆動してズームレンズ群２１を移動させる。これにより、当該撮影レンズ２０の焦点距離が変化する。また、制御部１００は、撮影時において、カメラ本体１０に設けられたＡＦセンサ１０２の検出信号に基づいてフォーカスレンズ群２２の移動量演算等を行ってフォーカス駆動機構２２０を制御駆動し、撮像部１３の受光面に被写体像が結像（合焦）するようにフォーカスレンズ群２２を移動させる。さらに、制御部１００は、ジャイロセンサ２５による撮影レンズ２０に作用するブレの角速度検出情報に基づいてブレ補正駆動機構２３０を制御駆動し、撮像部１３の受光面における被写体像のブレが相殺するようにブレ補正レンズ群２３を移動駆動する。
【００２９】
また、制御部１００は、操作部１５を介した操作に基づいて発光装置１７のポップアップおよび発光を制御し、セルフタイマ設定ボタン１５Ｓの操作に基づいてセルフタイマによる撮影を行う。
さらに、制御部１００は、音声部３０から入力された音声情報を、記録部１４を介して記録媒体１４Ａに記録する。
ここで、記録部１４は、図１中に示すように、画像情報と音声情報とを記録媒体１４Ａの同一ファイル１４Ｆに記録する。さらに、記録部１４は、音声部３０における第１集音部３１Ｆのマイク３１１Ｆによって集音された音声情報と、第２集音部３１Ｒのマイク３１１Ｒによって集音された音声情報とを、ファイル１４Ｆ内にそれぞれ別個のファイル（音声ファイルＦＳ１，ＦＳ２）として記録する。つまり、記録部１４は、同一ファイル１４Ｆに、画像（動画または静止画）ファイルＦＧと、第１集音部３１Ｆの音声ファイルＦＳ１と、第２集音部３１Ｒの音声ファイルＦＳ２とを形成して記録媒体１４Ａに記録する。これにより、マイク３１１Ｆ，３１１Ｒによって集音記録した音声をそれぞれスピーカ３２，３３から独立して出力することができるようになっている。
【００３０】
つぎに、本実施形態における特徴部分である、音声部３０（集音部３１）の構成と、制御部１００による音声情報の記録部１４への記録制御等についてより詳細に説明する。
音声部３０における集音部３１は、前述したように、同様に構成された第１集音部３１Ｆと第２集音部３１Ｒとを備えている。以下、特に必要な場合には、第１集音部３０Ｆにおける構成要素には符号の末尾にＦを付加し、第２音声部３０Ｒにおける構成要素には符号の末尾にＲを付加して区別して説明する。なお、図面には、末尾にＦまたはＲを付加した符号を付してある。
【００３１】
集音部３１は、マイク３１１と、増幅器３１２と、Ａ／Ｄ変換回路３１３と、ゲイン制御回路３１４とを備えている。
増幅器３１２は、マイク３１１が集音した音声を増幅してＡ／Ｄ変換回路３１３に出力する。
Ａ／Ｄ変換回路３１３は、増幅器３１２から入力されたアナログの音声情報をディジタルの音声情報にＡ／Ｄ変換して制御部１００に出力する。
ゲイン制御回路３１４は、制御部１００によって制御され、増幅器３１２における増幅率を調整する。
【００３２】
前述したように、第１集音部３１Ｆにおけるマイク３１１Ｆは、カメラ本体１０の前面側上部に配設され、第２集音部３１Ｒにおけるマイク３１１Ｒは、カメラ本体１０の背面側上部に配設されている。このような構成により、カメラ本体１０の前面側に配設されたマイク３１１Ｆによって被写体側の環境音を集音することができると共に、カメラ本体１０の背面側に配設されたマイク３１１Ｒによって撮影者の話す説明等を集音することができる。第１集音部３１Ｆと第２集音部３１Ｒとによって集音された音声情報は、前述したように、記録媒体１４Ａのファイル１４Ｆ内にそれぞれ別個のファイル（音声ファイルＦＳ１，ＦＳ２）として記録される。このため、第１集音部３１Ｆと第２集音部３１Ｒとが集音した音声をスピーカ３２，３３から独立して出力することができ、また、不要な側の音声のみを消音することも可能となっている。
【００３３】
上記集音部３１における第１集音部３１Ｆと第２集音部３１Ｒとは、制御部１００によって独立して制御され、録音（音声記録）のＯＮ／ＯＦＦおよびその録音レベルを独立して調整することができるようになっている。
録音（音声記録）のＯＮ／ＯＦＦおよびその録音レベルの設定は、たとえば、図３に示す、カメラ本体１０の背面に配設されたマイク設定ボタン１５Ｃと、操作ダイヤル１５Ｄとを操作して行う。
【００３４】
マイク設定ボタン１５Ｃは、カメラ本体１０の背面に配設された表示部１６における液晶パネル１６Ａの図中左上部に配設されている。また、操作ダイヤル１５Ｄは、液晶パネル１６Ａの図中右上部に配設されている。
マイク設定ボタン１５Ｃは、中央を支点として左右に揺動してそれぞれスイッチング動作するシーソースイッチである、図中左側（図中Ｆで示す）が第１集音部３１Ｆに対応し、図中右側（図中Ｒで示す）が第２集音部３１Ｒに対応している。
操作ダイヤル１５Ｄは、Ｙ軸と平行な回転軸で回転可能な円盤状の回転スイッチである。
【００３５】
第１集音部３１Ｆと第２集音部３１Ｒの録音レベルの調整は、まず、マイク設定ボタン１５Ｃまたは設定された任意の操作ボタンを操作して、図３中に示すような録音レベル調整画面を呼び出す。図３に示す録音レベル調整画面では、画面の左右に第１集音部３１Ｆと第２集音部３１Ｒの録音レベルが棒グラフ状に表示される。そして、マイク設定ボタン１５Ｃを操作して第１集音部３１Ｆまたは第２集音部３１Ｒの表示の何れかをアクティブ（操作可能な状態）とし、操作ダイヤル１５Ｄを回転操作することで録音レベルを調整する。
【００３６】
なお、第１集音部３１Ｆと第２集音部３１Ｒの一方または両方の録音をＯＦＦしたい場合には、上記録音レベル調整操作によって行ってもよいが、任意の操作ボタンを録音ＯＦＦのスイッチに割り当ててその押圧操作によって行うように構成してもよい。たとえば、マイク設定ボタン１５Ｃを二段階スイッチとして深い（二段階への）押圧操作によってＯＮ／ＯＦＦを切り換えるように構成することができる。
【００３７】
ここで、制御部１００は、録音を伴う撮影時（または録音時）において、当該カメラ１（カメラ本体１０）が特定の状態では、前述のようにして設定された第１集音部３１Ｆと第２集音部３１Ｒにおける録音レベルに拘わらず、その録音レベルを変化させる。
録音レベルを変化させる特定の状態とは、
条件（１）：セルフタイマを用いた撮影時
条件（２）：第１集音部３１Ｆまたは第２集音部３１Ｒのマイク３１１（３１１Ｆ，３１１Ｒ）に雑音が入力すると想定された撮影状態、または撮影状況
等である。
【００３８】
上記条件（１）の、セルフタイマを用いた撮影時には、カメラ本体１０の背面にマイク３１１Ｒを備えた第２集音部３１Ｒの録音レベルを低下、または、ＯＦＦとする。
これは、セルフタイマを用いた撮影時には、カメラ本体１０の背面側に撮影者が存在しないために第２集音部３１Ｒによって録音する必要が無く、録音を継続することで周囲の不要な環境音が録音される虞があることによる。これにより、セルフタイマを用いた撮影時において、周囲の不要な環境音の録音を防ぐことができる。
【００３９】
上記条件（２）における、第１集音部３１Ｆまたは第２集音部３１Ｒのマイク３１１（３１１Ｆ，３１１Ｒ）に雑音が入力すると想定された撮影状態とは、当該カメラ１が備える駆動機構の作動時であり、雑音とはモータ（例えば、超音波モータ、ステッピングモータ、ＡＣモータ）、の駆動音等である。
カメラ本体１０が備える各駆動機構（ミラー駆動機構１１０，シャッター駆動機構１２０，発光装置駆動機構１７０）の機能時には、カメラ本体１０の背面にマイク３１１Ｒを備えた第２集音部３１Ｒの録音レベルを低下、または、ＯＦＦとする。
【００４０】
また、撮影レンズ２０が備える各駆動機構（ズーム駆動機構２１０，フォーカス駆動機構２２０，ブレ補正駆動機構２３０，絞り駆動機構２４０）の機能時には、カメラ本体１０の前面にマイク３１１Ｆを備えた第１集音部３１Ｆの録音レベルを低下、または、ＯＦＦとする。
これにより、各駆動機構の作動音が、第１集音部３１Ｆまたは第２集音部３１Ｒのマイク３１１（３１１Ｆ，３１１Ｒ）から録音されてしまうことを防ぐことができる。
【００４１】
なお、上記構成では、カメラ本体１０が備える各駆動機構に対して第２集音部３１Ｒを、撮影レンズ２０が備える各駆動機構に対して第１集音部３１Ｆを、それぞれ単純に対応させている。しかし、このように一律に対応させず、雑音の発生源（駆動機構）との距離や雑音の入力し易さを等勘案して対応させる。また、カメラ本体１０に配設された撮像部１３を移動駆動してブレ補正する構成や、フォーカス駆動機構（モータ）をカメラ本体１０の側に備える構成の場合には、第２集音部３１Ｒの録音レベルを低下、または、ＯＦＦとする。
【００４２】
さらに、駆動機構の作動音の他に、操作に伴って雑音を生ずる虞のある操作部１５における操作部材に対する操作も対象とする。この場合、雑音として入力し易い側の集音部３１（第１集音部３１Ｆまたは第２集音部３１Ｒ）における録音レベルを低下、または、ＯＦＦとする。
【００４３】
また、上記条件（２）における、第１集音部３１Ｆと第２集音部３１Ｒの各マイク３１１に雑音が入力すると想定された撮影状況とは、たとえば、周囲に強風が吹いていたり、カメラ１を素早くパンニングする際などに、マイク３１１に風切り音が入力される場合等である。この場合、風切り音が入力する側の集音部３１（第１集音部３１Ｆまたは第２集音部３１Ｒ）における録音レベルを低下、または、ＯＦＦとする。
なお、このような状況は、制御部１００に予め雑音となる風切り音の周波数特性を記憶させておき、この周波数特性と入力音声の周波数特性とを比較することで判定することができる。また、パンニングに起因する風切り音の発生は、ジャイロセンサ２５による検出情報から判断してもよい。
【００４４】
以上、本実施形態によると、以下の効果を有する。
（１）カメラ１は、録音を伴う撮影時（または録音時）において、当該カメラ１（カメラ本体１０）が特定の状態では、設定された第１集音部３１Ｆと第２集音部３１Ｒの録音レベルに拘わらず、制御部１００によってその録音レベルを変化させる。これにより、特定の状態に起因する不要な音声の録音を抑制できる。
（２）カメラ１は、カメラ本体１０の背面側に、第２集音部３１Ｒにおけるマイク３１１Ｒが配設されている。これにより、マイク３１１Ｒによって撮影者の話す説明等を集音し、記録することができる。
【００４５】
（３）カメラ１は、セルフタイマを用いた撮影時には、設定された第１集音部３１Ｆと第２集音部３１Ｒの録音レベルに拘わらず、制御部１００によって、カメラ本体１０の背面にマイク３１１Ｒを備えた第２集音部３１Ｒの録音レベルを低下、または、ＯＦＦとする。これにより、セルフタイマを用いた撮影時において、周囲の不要な環境音の録音を抑制できる。
【００４６】
（４）カメラ１は、第１集音部３１Ｆまたは第２集音部３１Ｒのマイク３１１（３１１Ｆ，３１１Ｒ）に雑音が入力すると想定された撮影状態、または撮影状況では、設定された第１集音部３１Ｆと第２集音部３１Ｒの録音レベルに拘わらず、制御部１００によって、対応する第１集音部３１Ｆまたは第２集音部３１Ｒの録音レベルを低下、または、ＯＦＦとする。これにより、各駆動機構の作動音が、第１集音部３１Ｆまたは第２集音部３１Ｒのマイク３１１（３１１Ｆ，３１１Ｒ）から録音されてしまうことを抑制できる。
【００４７】
（５）カメラ１は、カメラ本体１０が備える各駆動機構（ミラー駆動機構１１０，シャッター駆動機構１２０，発光装置駆動機構１７０）の機能時には、設定された第１集音部３１Ｆと第２集音部３１Ｒの録音レベルに拘わらず、制御部１００によって、カメラ本体１０の背面にマイク３１１Ｒを備えた第２集音部３１Ｒの録音レベルを低下、または、ＯＦＦとする。また、撮影レンズ２０が備える各駆動機構（ズーム駆動機構２１０，フォーカス駆動機構２２０，ブレ補正駆動機構２３０，絞り駆動機構２４０）の機能時には、設定された第１集音部３１Ｆと第２集音部３１Ｒの録音レベルに拘わらず、制御部１００によって、カメラ本体１０の前面にマイク３１１Ｆを備えた第１集音部３１Ｆの録音レベルを低下、または、ＯＦＦとする。
これにより、各駆動機構の作動音が、第１集音部３１Ｆまたは第２集音部３１Ｒのマイク３１１（３１１Ｆ，３１１Ｒ）から録音されてしまうことを抑制できる。
【００４８】
（６）カメラ１は、制御部１００が、ジャイロセンサ２５による検出情報に基づいて、設定された第１集音部３１Ｆと第２集音部３１Ｒの録音レベルに拘わらず、第１集音部３１Ｆまたは第２集音部３１Ｒの録音レベルを低下、または、ＯＦＦとする。これにより、パンニングに起因する風切り音が録音されてしまうことを抑制できる。
【００４９】
（７）カメラ１は、一対のスピーカ３２，３３を備えており、マイク３１１Ｆ，３１１Ｒによって集音記録した音声をそれぞれスピーカ３２，３３から独立して出力することができるようになっている。これにより、マイク３１１Ｆ，３１１Ｒによって集音記録した音声をそれぞれスピーカ３２，３３から独立して聞くことができる。
【００５０】
（変形形態）
以上、説明した実施形態に限定されることなく、以下に示すような種々の変形や変更が可能であり、それらも本発明の範囲内である。
（１）本実施形態は、本発明をカメラ本体１０に撮影レンズ２０が着脱可能に装着されて成るデジタルカメラ（カメラ１）に適用したものである。しかし、本発明は、これに限らず、スチルカメラ、ビデオカメラ、カメラボディ、携帯電話であってもよい。
【００５１】
（２）また、本実施形態における撮影装置であるカメラ１は、静止画および動画像を撮影するものとして説明した。しかし、撮影装置は、静止画のみ、または、動画のみを撮影するものであってもよい。
【００５２】
（３）本実施形態のカメラ１におけるブレ補正機構は、ブレ補正レンズ群２３を光軸ＯＡと直交する面内で移動させてブレ補正を行う。しかし、ブレ補正機構は、これにかぎらず、たとえば、レンズ等の光を通過させる光透過部材であってもよいし、ミラー等の光を反射させる光反射部材であってもよいし、又は、ＣＣＤ，Ｃ−ＭＯＳセンサ等の光学系による像を撮像する撮像素子であってもよい。ブレ補正は、動画像を補正するものでもよいし、静止画像を補正するものでもよいし、静止画像及び動画像を補正するものでもよい。
【００５３】
本実施形態のカメラ１における音声部３０の第１集音部３１Ｆは、一つのマイク３１１を備えたものである。しかし、二つ以上のマイクを備えてたとえばステレオ録音する構成としてもよい。
なお、実施形態及び変形形態は、適宜組み合わせて用いることもできるが、詳細な説明は省略する。また、本発明は以上説明した実施形態によって限定されることはない。
【符号の説明】
【００５４】
１：カメラ、１０：カメラ本体、１４：記録部、１５Ｃ：マイク設定ボタン、１５Ｄ：操作ダイヤル、２５：ジャイロセンサ、３０：音声部、３１：集音部、３１Ｆ：第１集音部、３１Ｒ：第２集音部、３２，３３：スピーカ、１００：制御部、１１０：ミラー駆動機構、１２０：シャッター駆動機構、１７０：発光装置駆動機構、２０：撮影レンズ、２１０：ズーム駆動機構、２２０：フォーカス駆動機構、２３０：ブレ補正駆動機構、２４０：絞り駆動機構、３１１Ｆ，３１１Ｒ：マイク
【図１】
2011061445.tif 000003
【図２】
2011061445.tif 000004
【図３】
2011061445.tif 000005